(57)【要約】【課題】大型化することなく減衰量を大きくとることができるようにして、小型で減衰量が大きいマイクロ波帯域で使用可能なローパスフィルタを提供する。【解決手段】金属製の円筒により形成された外部導体と、金属製の中実体により形成された中心導体とを有し、外部導体内に中心導体が挿入され、中心導体は、外部導体の中心軸上に沿って連続するように配置された金属製の円柱により形成された高インピーダンス部と、高インピーダンス部を中心として外径側に向けて放射状に延設された円板形状の低インピーダンス部とにより構成されており、高インピーダンス部と低インピーダンス部とが交互に連続するように形成されている分布定数型のローパスフィルタにおいて、少なくとも１個以上の低インピーダンス部の先端部の領域を高インピーダンス部と平行になるように折り曲げて折り曲げ部を形成し、１個以上の並列のＣ回路を並列のＬＣ回路とした。【選択図】        図４
2011142394.tif 000002
【特許請求の範囲】
【請求項１】
金属製の円筒により形成された外部導体と、
金属製の中実体により形成された中心導体と
を有し、
前記外部導体内に前記中心導体が挿入され、
前記中心導体は、前記外部導体の中心軸上に沿って連続するように配置された金属製の円柱により形成された高インピーダンス部と、前記高インピーダンス部を中心として外径側に向けて放射状に延設された円板形状の低インピーダンス部とにより構成されており、
前記高インピーダンス部と前記低インピーダンス部とが交互に連続するように形成されている分布定数型のローパスフィルタにおいて、
少なくとも１個以上の前記低インピーダンス部の先端部の領域を前記高インピーダンス部と平行になるように折り曲げて折り曲げ部を形成し、１個以上の並列のＣ回路を並列のＬＣ回路とした
ことを特徴とするローパスフィルタ。
【請求項２】
請求項１に記載のローパスフィルタにおいて、
前記折り曲げ部を隣接する低インピーダンス部または同軸線路と近づけて容量性結合させる
ことを特徴とするローパスフィルタ。
【請求項３】
請求項１または請求項２のいずれか１項に記載のローパスフィルタにおいて、
前記折り曲げ部の先端を、さらに前記高インピーダンス部へ向けて折り曲げた
ことを特徴とするローパスフィルタ。
【請求項４】
請求項１、請求項２または請求項３のいずれか１項に記載のローパスフィルタにおいて、
前記折り曲げ部に、遮断波長の１／１０以下の穴を少なくとも１個以上開けた
ことを特徴とするローパスフィルタ
【請求項５】
請求項１、請求項２、請求項３または請求項４のいずれか１項に記載のローパスフィルタにおいて、
前記中心導体と前記外部導体との間の一部、または、全部に誘電体を配設した
ことを特徴とするローパスフィルタ。
【発明の詳細な説明】
【技術分野】
【０００１】
本発明は、ローパスフィルタに関し、さらに詳細には、真鍮、銅、アルミニウムあるいは鉄などのような各種の金属製の円筒よりなる中空同軸管を用いて構成される分布定数型のローパスフィルタに関する。
【背景技術】
【０００２】
従来より、真鍮、銅、アルミニウムあるいは鉄などのような各種の金属製の円筒よりなる中空同軸管を用いて構成される分布定数型のローパスフィルタが知られている。
【０００３】
ところで、マイクロ波帯域で一般に広く用いられている上記した従来の分布定数型のローパスフィルタは、等価回路で示すと図１に示すようにあらわされる。
【０００４】
即ち、こうしたローパスフィルタにおいては、直列のインダクタンスＬと並列のキャパシタンスＣとによって遮断周波数が決定され、インダクタンスＬおよびキャパシタンスＣ、そしてこれらの段数によって遮断周波数以降の減衰量が決定される。
【０００５】
また、分布定数回路においては、直列のインダクタンスＬは高インピーダンスとして動作し、一方、並列のキャパシタンスＣは低インピーダンスとして動作する。
【０００６】
図２には、上記した構成ならびに動作の従来のローパスフィルタの一例を示す要部断面概略構成説明図が示されている。
【０００７】
この従来のローパスフィルタ１００は、金属製の円筒により形成された外部導体１０２と、金属製の中実体により形成された中心導体１０４とを有して構成され、外部導体１０２内に中心導体１０４が挿入されている。
【０００８】
より詳細には、中心導体１０４は、金属製の円柱により形成された高インピーダンス部１０６と、高インピーダンス部１０６を中心として外径側に向けて放射状に延設された円板形状の低インピーダンス部１０８とにより構成されており、これら高インピーダンス部１０６と低インピーダンス部１０８とは、交互に連続するように形成されている。
【０００９】
即ち、高インピーダンス部１０６は、外部導体１０２の中心軸上に沿って連続するように配置されている。
【００１０】
一方、低インピーダンス部１０８は、外部導体１０２の中心軸から外径側に向かって延設されている。具体的には、このローパスフィルタ１００においては、低インピーダンス部１０８は、上記したように、高インピーダンス部１０６を中心として外径側に向けて放射状に延設された円板形状を備えるように形成されている。
【００１１】
そして、中心導体１０４の高インピーダンス部１０６は、５０Ωの同軸線路１１０を介して、コネクタ１１２に接続されている。
【００１２】
なお、このローパスフィルタ１００においては、中心導体１０４と外部導体１０２との接触防止のため、中心導体１０４の低インピーダンス部１０８の先端部１０８ａと外部導体１０２の内壁面１０２ａとの間に誘電体１１４を配設している。
【００１３】
また、同軸線路１１０と外部導体１０２の内壁面１０２ａとの間にも、誘電体１１４が設けられている。
【００１４】
こうした誘電体１１４の材料としては、例えば、テフロン（登録商標）を用いることができる。
【００１５】
なお、ローパスフィルタにおいて、このような誘電体を設けることがないようにしてもよいことは勿論である。
【００１６】
即ち、例えば、ローパスフィルタが長くなる場合には、中心導体を支えるために中心導体と外部導体との間に誘電体をサポートとして配置することが好ましいが、ローパスフィルタが短い場合などでは、そうしたサポートとしての誘電体は設けなくてもよい。
【００１７】
ところで、上記したような構成の従来のローパスフィルタにおいては、遮断周波数付近を減衰するには、インダクタンスＬとキャパシタンスＣとの段数を増やさなければならないため、中心導体１０４の高インピーダンス部１０６と低インピーダンス部１０８との数をそれぞれ増加する必要があった。
【００１８】
このため、ローパスフィルタが大型化してしまい、挿入損失も大きくなるという問題点があった。
【００１９】
なお、本願出願人が特許出願時に知っている先行技術は、上記において説明したようなものであって文献公知発明に係る発明ではないため、記載すべき先行技術情報はない。
【発明の概要】
【発明が解決しようとする課題】
【００２０】
本発明は、上記したような従来の技術の有する問題点に鑑みてなされたものであり、その目的とするところは、大型化することなく減衰量を大きくとることができるようにして、小型で減衰量が大きいマイクロ波帯域で使用可能なローパスフィルタを提供しようとするものである。
【課題を解決するための手段】
【００２１】
上記目的を達成するために、本発明は、従来のローパスフィルタにおいて、等価回路におけるキャパシタンスＣ部分に該当する領域を折り曲げて、ＬＣの並列回路を構成するようにしたものである。
【００２２】
上記した構成とすることにより、従来のキャパシタンスＣ部分がバンドリジェクションフィルタの作用を奏することとなり、減衰域に減衰極を設けることができるようになって、インダクタンスＬとキャパシタンスＣとの段数を増やすことなく急峻なローパスフィルタを製作することができる。
【００２３】
即ち、本発明によれば、大型化することなく減衰量を大きくとることができるようになり、小型で減衰量が大きいマイクロ波帯域で使用可能なローパスフィルタが得られる。
【００２４】
ここで、図３（ａ）（ｂ）（ｃ）には、従来より知られている各種のバンドリジェクションフィルタの等価回路がそれぞれ示されている。
【００２５】
本発明は、従来のローパスフィルタのキャパシタンス部を折り曲げてインダクタンスを入れることにより、バンドリジェクションフィルタのような特性を実現しているものである。
【００２６】
即ち、キャパシタンス部を折り曲げてローパスフィルタを製作することにより、バンドリジェクションフィルタの特性を持ったローパスフィルタとなる。つまり、減衰域に減衰極を持ったローパスフィルタを作製することができる。
【００２７】
また、本発明において、キャパシタンスＣ部分に該当する領域を折り曲げて形成したＬＣの並列回路部分と当該ＬＣの並列回路部分に隣接する段に位置するキャパシタンスＣ部分や同軸線路との距離を短くして、両者をＣ結合させるようにしてもよい。
【００２８】
このように、キャパシタンスＣ部分に該当する領域を折り曲げて形成したＬＣの並列回路部分と当該ＬＣの並列回路部分に隣接する段に位置するキャパシタンスＣ部分や同軸線路との距離を短くして、両者をＣ結合させると、ＬＣの並列回路部分におけるキャパシタンスＣ部分に該当する領域の折り曲げ部分の長さを短くすることが可能となる。
【００２９】
このことにより、本発明によれば、さらに小型化したローパスフィルタを構成することができる。
【００３０】
即ち、本発明は、金属製の円筒により形成された外部導体と、金属製の中実体により形成された中心導体とを有し、上記外部導体内に上記中心導体が挿入され、上記中心導体は、上記外部導体の中心軸上に沿って連続するように配置された金属製の円柱により形成された高インピーダンス部と、上記高インピーダンス部を中心として外径側に向けて放射状に延設された円板形状の低インピーダンス部とにより構成されており、上記高インピーダンス部と上記低インピーダンス部とが交互に連続するように形成されている分布定数型のローパスフィルタにおいて、少なくとも１個以上の上記低インピーダンス部の先端部の領域を上記高インピーダンス部と平行になるように折り曲げて折り曲げ部を形成し、１個以上の並列のＣ回路を並列のＬＣ回路としたものである。
【００３１】
また、本発明は、上記した発明において、上記折り曲げ部を隣接する低インピーダンス部または同軸線路と近づけて容量性結合させるようにしたものである。
【００３２】
また、本発明は、上記した各発明において、上記折り曲げ部の先端を、さらに上記高インピーダンス部へ向けて折り曲げるようにしたものである。
【００３３】
また、本発明は、上記した各発明において、上記折り曲げ部に、遮断波長の１／１０以下の穴を少なくとも１個以上開けるようにしたものである。
【００３４】
また、本発明は、上記した各発明において、上記中心導体と上記外部導体との間の一部、または、全部に誘電体を配設するようにしたものである。
【発明の効果】
【００３５】
本発明は、以上説明したように構成されているので、大型化することなく減衰量を大きくとることができるようになり、小型で減衰量が大きいマイクロ波帯域で使用可能なローパスフィルタを提供することができるようになるという優れた効果を奏する。
【００３６】
即ち、本発明によれば、従来のローパスフィルターと同じ段数とした場合に、従来のローパスフィルター以上の減衰量が実現できるので、ローパスフィルタの段数を減らすことができ、全体の寸法を小さくすることができるようになるという優れた効果を奏する。
【００３７】
また、ローパスフィルタの段数が少なくできることより、挿入損失も少なくすることができるようになるという優れた効果を奏する。
【図面の簡単な説明】
【００３８】
【図１】図１は、従来の分布定数型のローパスフィルタの等価回路である。
【図２】図２は、従来のローパスフィルタの一例を示す要部断面概略構成説明図である。
【図３】図３（ａ）（ｂ）（ｃ）は、各種のバンドリジェクションフィルタの等価回路である。
【図４】図４は、本発明の第１の実施の形態によるローパスフィルタの要部断面概略構成説明図である。
【図５】図５は、図４に示す本発明の第１の実施の形態によるローパスフィルタの等価回路である。
【図６】図６は、本発明の第１の実施の形態によるローパスフィルタの変形例の要部断面概略構成説明図である。
【図７】図７は、本願発明者による実験結果を示すグラフであり、従来のローパスフィルタと本発明によるローパスフィルタとを同じ大きさに構成した場合におけるそれぞれの減衰特性を示すグラフである。
【図８】図８は、本願発明者による実験結果を示すグラフであり、従来のローパスフィルタで２．５ＧＨｚにおいて同じ６０ｄＢの減衰量となる減衰特性を示すグラフである。
【図９】図９は、本発明によるローパスフィルタの他の実施の形態の要部断面概略構成説明図である。
【図１０】図１０は、本発明によるローパスフィルタの他の実施の形態の要部断面概略構成説明図である。
【図１１】図１１は、本発明によるローパスフィルタの他の実施の形態の要部断面概略構成説明図である。
【図１２】図１２は、本発明によるローパスフィルタの他の実施の形態の要部断面概略構成説明図である。
【図１３】図１３は、本発明によるローパスフィルタの他の実施の形態の要部断面概略構成説明図である。
【図１４】図１４は、本発明によるローパスフィルタの他の実施の形態の要部断面概略構成説明図である。
【図１５】図１５は、図１３ならびに図１４に示す本発明の他の実施の形態によるローパスフィルタの等価回路である。
【図１６】図１６は、本発明によるローパスフィルタの他の実施の形態の要部断面概略構成説明図である。
【図１７】図１７は、本発明によるローパスフィルタの他の実施の形態の要部断面概略構成説明図である。
【図１８】図１８は、本発明によるローパスフィルタの他の実施の形態の要部断面概略構成説明図である。
【図１９】図１９は、本発明によるローパスフィルタの他の実施の形態の要部断面概略構成説明図である。
【図２０】図２０は、本発明によるローパスフィルタの他の実施の形態の要部断面概略構成説明図である。
【図２１】図２１は、本発明によるローパスフィルタの他の実施の形態の要部断面概略構成説明図である。
【発明を実施するための形態】
【００３９】
以下、添付の図面を参照しながら、本発明によるローパスフィルタの実施の形態を詳細に説明するものとする。
【００４０】
なお、以下の説明においては、図２を参照しながら説明した従来の技術によるローパスフィルタと同一または相当する構成については、上記において用いた符号と同一の符号を用いて示すことにより、その詳細な構成ならびに作用の説明は適宜に省略することとする。
【００４１】
（１）本発明によるローパスフィルタの第１の実施の形態
（１−１）基本構成
図４には、本発明の第１の実施の形態によるローパスフィルタの要部断面概略構成説明図が示されている。
【００４２】
また、図５には、図４に示す本発明の第１の実施の形態によるローパスフィルタの等価回路図が示されている。
【００４３】
この本発明の第１の実施の形態によるローパスフィルタ１０は、低インピーダンス部１０８の先端部１０８ａの領域を、高インピーダンス部１０４と平行になるように折り曲げて折り曲げ部１２を形成し、従来の技術における並列のＣ回路を、並列のＬＣ回路とした点においてのみ、従来のローパスフィルタ１００と異なっている。
【００４４】
即ち、キャパシタンスＣ部分たる低インピーダンス部１０８の先端部１０８ａの領域を折り曲げて折り曲げ部１２を形成することにより、並列にＬが入り、従来の技術における並列のＣ回路が、並列のＬＣ回路となる。
【００４５】
なお、図４に示すローパスフィルタ１０においては、従来の分布定数型のローパスフィルタにおいて、全ての並列のキャパシタンスＣ部分たる低インピーダンス部１０８の先端部１０８ａの領域を折り曲げて、全ての並列のＣ回路を並列のＬＣ回路としているが、全てのキャパシタンスＣ部分たる低インピーダンス部１０８の先端部１０８ａを必ずしも折り曲げる必要はなく、設計に応じて１個以上のキャパシタンスＣ部分たる低インピーダンス部１０８の先端部１０８ａを折り曲げるようにすればよい。
【００４６】
また、折り曲げた部分は、他の部分と同じ太さでもよいし、あるいは、太くても細くてもよく、折り曲げた先端部分の太さは、インダクタンスＬの大きさにより決定すればよい。
【００４７】
さらに、キャパシタンスＣ部分たる低インピーダンス部１０８の先端部１０８ａを折り曲げる個数により、減衰極の数が決定されることになる。
【００４８】
このため、減衰特性をより急峻にしたい場合には、減衰極の数を増やすため折り曲げる個数を増加すればよく、一方、減衰特性をあまり急峻にしたくない場合には、減衰極の数を増やすことのないように、折り曲げる個数を減らせばよい。
【００４９】
（１−２）変形例
ここで、図６には、本発明の第１の実施の形態によるローパスフィルタの変形例の要部断面概略構成説明図が示されている。
【００５０】
この図６に示すローパスフィルタ２０においては、図６における左右方向の中央に位置するキャパシタンスＣ部分たる低インピーダンス部１０８の先端部１０８ａは折り曲げずに、残りの６個の低インピーダンス部１０８を折り曲げて減衰極を作っている。
【００５１】
なお、キャパシタンスＣ部分たる低インピーダンス部１０８の先端部１０８ａを１個以上折り曲げる際には、左右方向に連続してキャパシタンスＣ部分たる低インピーダンス部１０８を折り曲げてもよいし、あるいは、何個か間を開けてキャパシタンスＣ部分たる低インピーダンス部１０８を折り曲げるようにしてもよい。
【００５２】
即ち、ローパスフィルタにおけるキャパシタンスＣ部分たる低インピーダンス部１０８を折り曲げる際に、いずれの低インピーダンス部１０８を折り曲げるかについては、設計に応じて製作しやすいように適宜に選択すればよい。
【００５３】
（１−３）本願発明者による実験
次に、本願発明者による実験結果について説明するが、この実験においては、２ＧＨｚ帯で動作する本発明によるローパスフィルタを製作し、当該本発明によるローパスフィルタと従来のローパスフィルタとの比較実験を行った。
【００５４】
なお、この実験に用いた従来のローパスフィルタは、図２に示す構成のものであり、以下に説明するように、例えば、２．５ＧＨｚで６０ｄＢの減衰量とするためには、その全長Ｌ１は３００ｍｍとなった。
【００５５】
一方、この実験に用いた本発明によるローパスフィルタは、図６に示す構成のものであり、以下に説明するように、例えば、２．５ＧＨｚで６０ｄＢの減衰量とするためには、その全長Ｌ２は１８０ｍｍでよかった。
【００５６】
以下、実験結果について詳細に説明すると、上記したように２ＧＨｚ帯で動作する本発明によるローパスフィルタを製作して実験したところ、従来のローパスフィルタでは２．５ＧＨｚで３０ｄＢの減衰量であったが、本発明によるローパスフィルタによれば、従来のローパスフィルタと同じ段数において６０ｄＢの減衰特性を得た。
【００５７】
ここで、図７には、従来のローパスフィルタと本発明によるローパスフィルタとを同じ大きさに構成した場合における、それぞれの減衰特性が示されている。
【００５８】
また、図８には、従来のローパスフィルタで２．５ＧＨｚにおいて同じ６０ｄＢの減衰量となる減衰特性を示す。
【００５９】
上記したように、従来のローパスフィルタにおいて、２．５ＧＨｚで６０ｄＢの減衰量となる大きさを求めたところ全長３００ｍｍとなり、本発明によるローパスフィルタによると１８０ｍｍで同等の減衰量を得ることができた。
【００６０】
このように、本発明によれば、従来のローパスフィルタよりも小型で減衰量の大きいローパスフィルタを製作することができた。
【００６１】
なお、この実験に用いた従来のローパスフィルタも本発明によるローパスフィルタも、中心導体と外部導体との材料は真鍮であり、誘電体の材料としてはテフロン（登録商標）を使用している。
【００６２】
（２）本発明によるローパスフィルタの他の実施の形態
（２−１）図９、図１０、図１１ならびに図１２には、それぞれ本発明によるローパスフィルタの他の実施の形態の要部断面概略構成説明図が示されている。
【００６３】
これら図９、図１０、図１１ならびに図１２に示すように、キャパシタンスＣ部分たる低インピーダンス部１０８の先端部１０８ａの折り曲げ方向は、任意の方向に適宜選択することができ、例えば、生産性の良さなどにより判断して適宜に設計すればよい。
【００６４】
また、全てのキャパシタンスＣ部分たる低インピーダンス部１０８の先端部１０８ａを折り曲げる必要はなく、先端部１０８ａを折り曲げた本発明による低インピーダンス部１０８と先端部１０８ａを折り曲げていない従来の低インピーダンス部１０８とを組み合わせて、１つのローパスフィルタの中に両者が混在するようにしてもよい。
【００６５】
即ち、図９に示す本発明によるローパスフィルタ２２においては、キャパシタンスＣ部分たる低インピーダンス部１０８の先端部１０８ａが、図９における左右方向の中心を互いに向くように折り曲げられており、ＬＣの並列回路の折り曲げ方向が中心向きに構成されている。
【００６６】
一方、図１０に示す本発明によるローパスフィルタ２４においては、図１０における左右方向の中心位置にあるキャパシタンスＣ部分たる低インピーダンス部１０８の先端部１０８ａは折り曲げず、他のキャパシタンスＣ部分たる低インピーダンス部１０８の先端部１０８ａが、図１０における左右方向の中心を互いに向くように折り曲げられており、ＬＣの並列回路の折り曲げ方向が中心向きに構成されている。
【００６７】
さらに、図１１に示す本発明によるローパスフィルタ２６においては、キャパシタンスＣ部分たる低インピーダンス部１０８の先端部１０８ａが、同じ方向（図１１における右方向）を向くように折り曲げられており、ＬＣの並列回路の折り曲げ方向が一方向に構成されている。
【００６８】
また、図１２に示す本発明によるローパスフィルタ２８においては、キャパシタンスＣ部分たる低インピーダンス部１０８の先端部１０８ａを分割し、分割した先端部１０８ａが図１２における左右両方向にそれぞれ向くように折り曲げられており、ＬＣの並列回路の折り曲げ方向が左右両方向きに構成されている。
【００６９】
（２−２）図１３および図１４には、本発明によるローパスフィルタのさらに他の実施の形態の要部断面概略構成説明図が示されている。
【００７０】
より詳細には、図１３に示す本発明によるローパスフィルタ３０は、キャパシタンスＣ部分たる低インピーダンス部１０８を折り曲げて構成したＬＣの並列回路における先端部１０８ａと、当該先端部１０８ａに隣接する段の低インピーダンス部１０８（図１３において左右方向中央に位置する折り曲げ部１２のない低インピーダンス部１０８）との間の距離（Ｌ３、Ｌ４）を近づけて配置し、容量性結合させたものである。
【００７１】
また、図１４に示す本発明によるローパスフィルタ３２は、キャパシタンスＣ部分たる低インピーダンス部１０８を折り曲げて構成したＬＣの並列回路における先端部１０８ａと、５０Ωの同軸線路１１０との間の距離（Ｌ５、Ｌ６）を近づけて配置し、容量性結合させたものである。
【００７２】
上記した図１３あるいは図１４に示すローパスフィルタのように、ＬＣの並列回路部分と隣接する段の低インピーダンス部１０８あるいは同軸線路１１０との距離を短くして、容量性結合によりＬＣの並列回路部分と隣接する段の低インピーダンス部１０８あるいは同軸線路１１０と結合させた場合の等価回路が、図１５に示されている。
【００７３】
ここで、上記した容量性結合を大きくすることにより、キャパシタンスＣ部分たる低インピーダンス部１０８の折り曲げ部１２の長さを短くすることが可能となる。
【００７４】
即ち、ＬＣの並列回路部分と隣接する段の低インピーダンス部１０８あるいは同軸線路１１０との距離を短くすることにより、直列のキャパシタンスＣが大きくなって、減衰極が低い周波数にすることができる。
【００７５】
そのため、フィルタ特性が急峻になり、より段数の少ないローパスフィルタとすることができるようになる。
【００７６】
従って、図１３および図１４に示す本発明によるローパスフィルタによれば、上記した本発明による第１の実施の形態のローパスフィルタよりも、そのサイズをより小型化することが可能となる。
【００７７】
なお、上記した図１３に示す本発明によるローパスフィルタにおいては、距離Ｌ３と距離Ｌ４との両方の距離を近づけて容量性結合させるようにしたが、これに限られるものではなく、ローパスフィルタにおいて、少なくともいずれか１箇所以上が上記した容量性結合するように構成すればよい。
【００７８】
同様に、上記した図１４に示す本発明によるローパスフィルタにおいては、距離Ｌ５と距離Ｌ６との両方の距離を近づけて容量性結合させるようにしたが、これに限られるものではなく、ローパスフィルタにおいて、少なくともいずれか１箇所が上記した容量性結合するように構成すればよい。
【００７９】
また、ＬＣの並列回路部分と隣接する段の低インピーダンス部１０８あるいは同軸線路１１０とを近づける距離としては、例えば、遮断波長の１／２０波長以下に近づけるようにすればよい。
【００８０】
（２−３）図１６には、本発明によるローパスフィルタのさらに他の実施の形態の要部断面概略構成説明図が示されている。
【００８１】
より詳細には、図１６に示す本発明によるローパスフィルタ３４は、折り曲げた低インピーダンス部１０８の先端部１０８ａを、さらに高インピーダンス部１０６へ向けて折り曲げている点において、上記した本発明による各実施の形態と異なっている。
【００８２】
即ち、ローパスフィルタ３４は、キャパシタンスＣ部分を折り曲げたＬＣの並列回路部分を、さらに内側に折り曲げているものであり、このように折り曲げることにより、より小型化することが可能となる。
【００８３】
つまり、図１６に示す本発明によるローパスフィルタ３４によれば、折り曲げた低インピーダンス部１０８の先端部１０８ａをさらに折り曲げることにより、フィルタ特性を変えることなく、ローパスフィルタの長さをより短くすることができる。
【００８４】
（２−３）図１７には、本発明によるローパスフィルタのさらに他の実施の形態の要部断面概略構成説明図が示されている。
【００８５】
より詳細には、図１７に示す本発明によるローパスフィルタ３６は、折り曲げたＬＣの並列回路の中心導体の折り曲げ部１２に、遮断波長の１／１０以下の穴３８を開けている点において、上記した本発明による各実施の形態と異なっている。
【００８６】
ここで、穴３８の個数は少なくと１個以上であれば、設計に応じて適宜の個数を開けるようにしてよい。
【００８７】
ここで、遮断波長の１／１０以下の穴３８とは、当該穴の形状が円形の場合には、当該穴の直径が遮断波長の１／１０以下であるということを意味する。
【００８８】
なお、穴３８の大きさの下限の数値は、特に限定されるものではないが、作業性を考慮して適宜の大きさの穴３８を開ければよい。
【００８９】
また、穴の大きさの上限値である遮断波長の１／１０とは、本願発明者の実験結果に基づいて、特性の劣化の無い寸法として選択したものである。
【００９０】
即ち、本願発明者の実験結果によれば、円形の穴３８の直径が遮断波長の１／１０以下の場合には、特性の劣化は見られなかったが、円形の穴３８の直径が遮断波長の１／１０を超える大きさになると、ローパスフィルタの特性が劣化することとなった。
【００９１】
なお、こうした穴３８を開けることにより、製造上においては以下に説明するような有利点がある。
【００９２】
即ち、本発明によるローパスフィルタを製造する際には、高インピーダンス部１０６に対し、断面略コ字形状のＬＣの並列回路、即ち、先端部１０８ａを折り曲げて折り曲げ部１２を形成した断面略コ字形状の部材である低インピーダンス部１０８を半田付けして作製する（図１７の「半田付け箇所」を参照する。）。
【００９３】
この半田付け時に、当該断面略コ字形状の部材で覆われた領域における半田付けの状態が外部からは確認し難いが、穴３８を開けることによりその確認がし易くなる。
【００９４】
また、穴３８を開けることにより、半田付けの後に当該断面略コ字形状の部材で覆われた領域におけるフラックスの洗浄を行うことなども可能となる。
【００９５】
上記において説明したように、穴３８を開けることにより、ローパスフィルタを製作する際における半田付けや接着が容易に行うことが可能となり、かつ、半田付けや接着の状態を確認することができるようになる。
【００９６】
即ち、上記した本発明によるローパスフィルタの実施の形態に示すように、キャパシタンスＣ部分たる低インピーダンス部１０８を折り曲げることにより、折り曲げ部１２における半田付けや接着が困難になり、また、半田付けや接着の状態が確認できなくなるため、製品の品質を維持することが難しくなる恐れがある。
【００９７】
しかしながら、上記した穴３８を開けることにより、ローパスフィルタを製作する際における半田付けや接着が容易に行うことが可能となり、かつ、半田付けや接着の状態を確認することができるようになるものである。
【００９８】
（２−４）図１８、図１９、図２０ならびに図２１には、本発明によるローパスフィルタのさらに他の実施の形態の要部断面概略構成説明図が示されている。
【００９９】
これら図１８、図１９、図２０ならびに図２１に示す本発明によるローパスフィルタは、外部導体１０２と折り曲げ部１２との間に、高誘電率の誘電体１１４を挿入している点において、上記した本発明による各実施の形態と異なっている。
【０１００】
図１８、図１９、図２０ならびに図２１に示す本発明によるローパスフィルタのように、外部導体１０２と折り曲げ部１２との間に高誘電率の誘電体１１４を挿入すると、これにより波長が短縮され、さらに小型のローパスフィルタを実現することが可能となる。
【０１０１】
即ち、誘電率εｒの誘電体にマイクロ波が印加された場合には、その誘電体の中では波長が１／√εｒになる。
【０１０２】
例えば、誘電率４の場合には、波長が１／√４＝１／２となり、波長は半分になるものである。
【０１０３】
このように、高誘電率の誘電体を挿入することにより波長が短縮され、分布定数線路の高インピーダンス部および低インピーダンス部を短くすることができるため、小型なローパスフィルタを製作することが可能となる。
【０１０４】
なお、誘電体１１４の材料としては、例えば、テフロン（登録商標）を使用することができるが、その他の誘電体を用いてもよいことは勿論である。
【０１０５】
より詳細には、図１８に示す本発明によるローパスフィルタ４０は、外部導体１０２と折り曲げ部１２との間を含め、外部導体１０２と中心導体１０４との全ての間に誘電体１１４を充填したものである。
【０１０６】
また、図１９に示す本発明によるローパスフィルタ４２は、外部導体１０２と折り曲げ部１２との間を含め、外部導体１０２の内周面全面に誘電体１１４を配設したものである。
【０１０７】
さらに、図２０に示す本発明によるローパスフィルタ４４は、一部の外部導体１０２と折り曲げ部１２との間に誘電体１１４を配設したものである。
【０１０８】
さらにまた、図２１に示す本発明によるローパスフィルタ４６は、外部導体１０２と折り曲げ部１２との間の全てと、外部導体１０２と折り曲げ部１２を設けていない低インピーダンス部１０８の先端部１０８ａとの間の全てに、誘電体１１４を配設したものである。
【０１０９】
上記において説明したように、図１８、図１９、図２０ならびに図２１に示す本発明によるローパスフィルタにおいては、結局のところ、中心導体１０４と外部導体１０２との間の一部、または、その全てにおいて誘電体材料が挿入されるようになされている。
【０１１０】
ここで、誘電体材料を中心導体１０４と外部導体１０２との間の一部、または、その全てに挿入する際に基準は以下の通りである。
【０１１１】
即ち、誘電体材料は、上記した波長を短縮する目的の他に、外部導体１０２と中心導体１０４との固定のために挿入しているので、誘電体１０４を挿入する場所については、機械的強度により適宜に決定すればよい。
【０１１２】
なお、図１８、図１９、図２０ならびに図２１においては、本願発明の理解を容易にするために全て同じ寸法で示したが、高誘電率の誘電体を挿入すると波長が短縮され小型のローパスフィルタを実現することが可能となるので、同一の減衰特性を得るためには、実際は誘電率が高いほど波長が短縮され小さくなる。
【産業上の利用可能性】
【０１１３】
本発明は、マイクロ波帯域で使用するローパスフィルタとして利用することができる。
【符号の説明】
【０１１４】
１０、２０、２２、２４、２６、２８、３０、３２、３４、３６、４０、４２、４４、４６、１００      ローパスフィルタ
１２      折り曲げ部
３８      穴
１０２      外部導体
１０２ａ    内壁面
１０４      中心導体
１０６      高インピーダンス部
１０８      低インピーダンス部
１０８ａ    先端部
１１０      同軸線路
１１２      コネクタ
１１４      誘電体
【図１】
2011142394.tif 000003
【図２】
2011142394.tif 000004
【図３】
2011142394.tif 000005
【図４】
2011142394.tif 000006
【図５】
2011142394.tif 000007
【図６】
2011142394.tif 000008
【図７】
2011142394.tif 000009
【図８】
2011142394.tif 000010
【図９】
2011142394.tif 000011
【図１０】
2011142394.tif 000012
【図１１】
2011142394.tif 000013
【図１２】
2011142394.tif 000014
【図１３】
2011142394.tif 000015
【図１４】
2011142394.tif 000016
【図１５】
2011142394.tif 000017
【図１６】
2011142394.tif 000018
【図１７】
2011142394.tif 000019
【図１８】
2011142394.tif 000020
【図１９】
2011142394.tif 000021
【図２０】
2011142394.tif 000022
【図２１】
2011142394.tif 000023